(57)【特許請求の範囲】
【請求項１】
上下両端を綜絖枠に取り付けたヘルド（１４）において、当該ヘルドの上半部及び下半部のそれぞれ略全体に亙って、たて糸（１）を挿通する長孔（１６）を形成したことを特徴とする、ヘルド
【請求項２】
前記ヘルド（１４）の長さ方向の中央に、前記長孔（１６）から分離したメール（１７）を形成したことを特徴とする、請求項１に記載のヘルド
【請求項３】
複数の綜絖（５）にそれぞれ、前記請求項１に記載の複数のヘルド（１４）を設け、当該ヘルド（１４）の上半部の長孔（１６）に表たて糸（１ａ）を、下半部の長孔（１６）に裏たて糸（１ｂ）をそれぞれ挿通し、当該複数の綜絖（５）を所定の順序で上下動せしめることにより、上動した綜絖（５）のヘルド（１４）が上半部の長孔（１６）に挿通された表たて糸（１ａ）を上動せしめると共に、下半部の長孔（１６）に挿通された裏たて糸（１ｂ）を前記長孔（１６）の中間位置で中立に保持し、下動した綜絖（５）のヘルド（１４）が下半部の長孔（１６）に挿通された裏たて糸（１ｂ）を下動せしめると共に、上半部の長孔（１６）に挿通された表たて糸（１ａ）を前記長孔（１６）の中間位置で中立に保持して、上下二段の開口を形成し、所定の順序で形成された開口状態において、上部開口に表よこ糸（１１ａ）を挿入することにより表たて糸（１ａ）と表よこ糸（１１ａ）とによって表組織（３）を織成する工程と、下部開口に裏よこ糸（１１ｂ）を挿入することにより裏たて糸（１ｂ）と裏よこ糸（１１ｂ）とによって裏組織（４）を織成する工程とを、所定の順序で行って一サイクルとし、当該サイクルを繰り返すことにより、表組織（３）と裏組織（４）とにより二重織物（Ａ）を形成することを特徴とする、二重織物の織成方法
【請求項４】
前記表よこ糸（１１ａ）を挿入する表シャトル（１２ａ）が、その挿入方向の先端（１３）が中心より高い位置で突出しており、中立位置のたて糸（１ａ、１ｂ）を押し下げながら上部開口を通過し、前記裏よこ糸（１１ｂ）を挿入する裏シャトル（１２ｂ）が、その挿入方向の先端（１３）が中心より低い位置で突出しており、中立位置のたて糸（１ａ、１ｂ）を押し上げながら下部開口を通過することを特徴とする、請求項３に記載の二重織物の織成方法
【請求項５】
前記複数の綜絖（５）にそれぞれ前記請求項２に記載の複数のヘルド（１４）を設け、当該ヘルド（１４）の前記メール（１７）に接結たて糸（１８）を挿通し、その綜絖（５）の上下動に伴って表よこ糸（１１ａ）及び裏よこ糸（１１ｂ）を接結たて糸（１８）に対して同一の位置に挿入することを特徴とする、請求項３に記載の接結二重織物の織成方法
【発明の詳細な説明】
【技術分野】
【０００１】
本発明は織機のヘルド及び、当該ヘルドを使用して二重織物を織成するための方法に関するものである。
【背景技術】
【０００２】
従来二重織物を織成する場合には、最低でも四枚の綜絖を必要としていた。すなわち二重織物における表組織と裏組織とがそれぞれ平織り組織である場合においては、表組織と裏組織を織成するためにそれぞれ二枚ずつの綜絖が必要であり、且つその両者を兼ねることができないため、四枚の綜絖が必要となるのである。
【０００３】
図１は表組織裏組織共に平織り組織により織成された二重織物Ａの組織図であり、図２は当該二重織物Ａの平面図である。これらの図面において１ａは表たて糸、１ｂは裏たて糸であり、２ａは表よこ糸、２ｂは裏よこ糸であって、表たて糸１ａと表よこ糸２ａとを平織り組織で織成して表組織３が形成され、裏たて糸１ｂと裏よこ糸２ｂとを平織り組織で織成して裏組織４が形成されており、これら表組織３と裏組織４とで二重織物Ａが形成されている。
【０００４】
而して図３はこの二重織物Ａを織成する工程を示すものである。図３においては綜絖５は後方から５ａ〜５ｄの四枚設けられており、そのうち５ａ及び５ｃは表組織３を織成する表綜絖であり、５ｂ及び５ｄは裏組織４を織成する裏綜絖である。そしてその各綜絖５には複数のヘルド６が取り付けられており、各ヘルド６にはその中央にたて糸１を挿通するメール７が形成されている。
【０００５】
そして先ず図３（ａ）においては、表綜絖５ａ、５ｃはいずれも上動しており、裏綜絖５ｄは上動し５ｂは下動していて、裏たて糸１ｂが開口し、そこにシャトル８が通過して裏よこ糸２ｂが挿入される。
【０００６】
次に図３（ｂ）において、裏綜絖５ｂ、５ｄをいずれも下動せしめ、表綜絖５ａを下動せしめると共に５ｃを上動せしめ、これにより表たて糸１ａを開口させてそこにシャトル８を通過させ、表よこ糸２ａを挿入して表組織３を織成する。
【０００７】
さらに図３（ｃ）において、表綜絖５ａ、５ｃはいずれも上動せしめ、裏綜絖５ｂは上動して５ｄは下動せしめ、これにより裏たて糸１ｂが開口してそこにシャトル８が通過し、裏よこ糸２ｂが挿入されて裏組織４が織成される。
【０００８】
次に図３（ｄ）において、裏綜絖５ｂ、５ｄをいずれも下動せしめ、表綜絖５ａを上動せしめると共に５ｃを下動せしめ、これにより表たて糸１ａを開口させてそこにシャトル８を通過させ、表よこ糸２ａを挿入して表組織３を織成する。
【０００９】
以下これらの工程を繰り返すことにより、表組織３及び裏組織４を織成し、二重織物Ａを織成するのである。そしてこの方法により二重織物Ａを織成するためには、表綜絖５ａが二枚、裏綜絖５ｂが二枚必要であり、四枚の綜絖５を必要とする。さらに表組織３と裏組織４とをたて糸で接結するためには、その接結たて糸を操作するためのさらに別の綜絖を必要とし、綜絖の枚数がさらに増える。
【００１０】
また表組織と裏組織とが綾織り組織や朱子織組織である場合には、綾織り組織は三枚以上の綜絖を必要とし、朱子織組織は五枚以上の綜絖が必要であるので、かかる組織で二重織物を形成するためには、その表裏の組織の種類に応じて、その二倍の枚数の綜絖が必要となる。
【００１１】
そこで出願人は、表たて糸と裏たて糸とを一枚の綜絖で操作し、綜絖の枚数を半減して二重織物を織成する方法を発明して特許出願し、特開２００９−６８１４４として出願公開されている。
【００１２】
この発明は図４に示すように、二枚の綜絖５にそれぞれ、上半部に長孔９を形成した表ヘルド１０ａと、下半部に長孔９を形成した裏ヘルド１０ｂとを所定の配列で配置し、表ヘルド１０ａの長孔９に表たて糸１ａを挿通し、裏ヘルド１０ｂの長孔に裏たて糸１ｂを挿通し、この綜絖５を二枚設けている。
【００１３】
而してこの二枚の綜絖５を交互に上下動させる。図４においては綜絖５ａを上動させ、綜絖５ｂを下動させることにより、綜絖５ａに設けられた表ヘルド１０ａは表たて糸１ａを上動せしめると共に、裏ヘルド１０ｂが裏たて糸１ｂを長孔９の中間位置で保持し、下動せしめられた綜絖５ｂに設けられた表ヘルド１０ａは表たて糸１ａを長孔の中間位置に保持すると共に、裏ヘルド１０ｂは裏たて糸１ｂを下動せしめる。
【００１４】
すなわち二枚の綜絖５ａ、５ｂを交互に上下動せしめることにより、表たて糸１ａは上動位置と中間位置とを採り、裏たて糸１ｂは下動位置と中間位置とを採ることとなり、上下に二段の開口が形成される。
【００１５】
この状態で、前記上下二段の開口のうちの、上段の開口に表よこ糸１１ａを打ち込むことにより、当該表よこ糸１１ａと前記表たて糸１ａとにより表組織３を織成し、下段の開口に裏よこ糸１１ｂを打ち込むことにより、当該裏よこ糸１１ｂと前記裏たて糸１ｂとにより裏組織４を織成するのである。
【００１６】
上下の開口に選択的に表よこ糸１１ａ又は裏よこ糸１１ｂを打ち込むには、図４に示すようにその挿入方向の先端１３が中心より高い位置又は低い位置で突出したシャトル１２ａ、１２ｂを使用し、表シャトル１２ａが中立位置のたて糸を押し下げながら上部開口を通過して表よこ糸１１ａを打ち込み、裏シャトル１２ｂが中立位置のたて糸を押し上げながら下部開口を通過して裏よこ糸１１ｂを打ち込むことにより、上下の開口を選択してよこ糸を挿入することができる。
【００１７】
この方法によれば、従来の二重織物を織成する場合に比べて、綜絖の枚数を半分に減らすことができ、織機の構造が簡単になると共に、開口運動が簡単になると言う利点があるが、その反面予め各綜絖５に所定の順序に従って表ヘルド１０ａと裏ヘルド１０ｂとを設ける必要があり、前準備が面倒である。
【００１８】
前記図３に示される従来例の方法によれば、ヘルド６は一種類のみであって、特定の綜絖５のメール７にたて糸１を挿通するかしないかにより、そのたて糸１の性質が定まるのであるが、図４の織機においては表ヘルド１０ａと裏ヘルド１０ｂとの形状が異なり、それを所定の順序で取り付けた綜絖５を準備しなければならず、二重織物Ａの組織が異なればヘルド１０の順序も変えなければならない。
【先行技術文献】
【特許文献】
【００１９】
【特許文献１】特開２００９−６８１４４
【非特許文献】
【００２０】
【非特許文献１】文部省著作教科書、実教出版株式会社発行、「高等学校用織物組織改訂版」（昭和４３年３月２５日初版発行、昭和４４年２月２５日発行）ｐ７２〜７５、色刷り４−１３図〜４−１９図
【発明の概要】
【発明が解決しようとする課題】
【００２１】
本発明はかかる事情に鑑みなされたものであって、前記方法に用いるヘルドであって、表ヘルドと裏ヘルドとを兼ねることのできる同一形状のヘルドを提供することを目的とするものである。
【００２２】
さらに本発明の他の目的としては、前記ヘルドを使用して、一本のヘルドで表たて糸と裏たて糸とを同時に操作し、全体のヘルドの数を半減して、さらに簡単な織機で二重織物を織成することも可能な方法を提供することを目的とする。
【課題を解決するための手段】
【００２３】
而して本発明のヘルドは、上下両端を綜絖枠に取り付けたヘルドにおいて、当該ヘルドの上半部及び下半部のそれぞれ略全体に亙って、たて糸を挿通する長孔を形成したことを特徴とするものである。本発明のヘルドにおいては、前記ヘルドの長さ方向の中央に、前記長孔から分離したメールを形成することも可能である。
【００２４】
また本発明の二重織物の織成方法は、複数の綜絖にそれぞれ、前記請求項１に記載の複数のヘルドを設け、当該ヘルドの上半部の長孔に表たて糸を、下半部の長孔に裏たて糸をそれぞれ挿通し、当該複数の綜絖を所定の順序で上下動せしめることにより、上動した綜絖のヘルドが上半部の長孔に挿通された表たて糸を上動せしめると共に、下半部の長孔に挿通された裏たて糸を前記長孔の中間位置で中立に保持し、下動した綜絖のヘルドが下半部の長孔に挿通された裏たて糸を下動せしめると共に、上半部の長孔に挿通された表たて糸を前記長孔の中間位置で中立に保持して、上下二段の開口を形成し、所定の順序で形成された開口状態において、上部開口に表よこ糸を挿入することにより表たて糸と表よこ糸とによって表組織を織成する工程と、下部開口に裏よこ糸を挿入することにより裏たて糸と裏よこ糸とによって裏組織を織成する工程とを、所定の順序で行って一サイクルとし、当該サイクルを繰り返すことにより、表組織と裏組織とにより二重織物を形成することを特徴とするものである。
【００２５】
本発明の二重織物の織成方法においては、前記表よこ糸を挿入する表シャトルが、その挿入方向の先端が中心より高い位置で突出しており、中立位置のたて糸を押し下げながら上部開口を通過し、前記裏よこ糸を挿入する裏シャトルが、その挿入方向の先端が中心より低い位置で突出しており、中立位置のたて糸を押し上げながら下部開口を通過することができる。
【００２６】
また本発明の方法において、前記複数の綜絖にそれぞれ、前記長孔から分離したメールを有するヘルドを設け、当該ヘルドの前記メールに接結たて糸を挿通し、その綜絖の上下動に伴って表よこ糸及び裏よこ糸を接結たて糸に対して同一の位置に挿入することにより、二重織物を接結することができる。
【発明の効果】
【００２７】
本発明によれば、同一形状のヘルドの上半部と下半部とに長孔を形成し、上半部の長孔に表たて糸を、下半部の長孔に裏たて糸を挿通することにより、そのヘルドが前記方法における表ヘルドと裏ヘルドとを兼ねるので、予めその組織に応じて表ヘルドと裏ヘルドとを用意する必要がなく、前準備が簡単である。
【図面の簡単な説明】
【００２８】
【図１】表組織裏組織共に平織り組織により織成された二重織物の組織図
【図２】図１の二重織物の平面図
【図３】従来の方法で二重織物を織成する工程図
【図４】他の従来の織機で二重織物を織成する状態を示す正面図
【図５】本発明のヘルドの正面図
【図６】本発明の方法の一形態により二重織物を織成する工程図
【図７】本発明の方法の他の形態により二重織物を織成する固定図
【図８】本発明の方法のさらに他の形態により二重織物を織成する固定図
【発明を実施するための形態】
【００２９】
以下本発明を図面に基づいて説明する。図５は本発明のヘルド１４の一例を示すものであって、細幅の板１５の上半部及び下半部にそれぞれ長孔１６が形成されている。そして好ましくは、その板１５の中央の長孔１６、１６の間の位置に接結糸用のメール１７が形成されている。
【００３０】
図６は前記ヘルド１４を使用して二重織物Ａを織成する工程を示すものであって、二枚の綜絖５ａ、５ｂにそれぞれ前記ヘルド１４が複数枚取り付けられている。前記ヘルド１４は上下対称であって、すべてが同一の形状を有しており、その上半部及び下半部に長孔１６が形成されている。
【００３１】
そして各綜絖５ａ、５ｂにおいて、当該綜絖５ａ、５ｂに設けられたヘルド１４に、上半部の長孔１６に表たて糸１ａを挿通したものと、下半部の長孔１６に裏たて糸１ｂを挿通したものとが交互に形成されている。
【００３２】
而して綜絖５ａ、５ｂを交互に上下動せしめることにより、先ず図６（ａ）において上動した綜絖５ａに設けられたヘルド１４の、上半部の長孔１６に挿通された表たて糸１ａは上動せしめられ、同じ綜絖５ａに設けられたヘルド１４における下半部の長孔１６に挿通された裏たて糸１ｂは、下半部の長孔１６の中間位置の保持される。また下動した綜絖５ｂに設けられたヘルド１４の、下半部の長孔１６に挿通された裏たて糸１ｂは下動せしめられ、同じ綜絖に設けられたヘルド１４における上半部の長孔１６に挿通された表たて糸１ａは、上半部の長孔１６の中間位置に保持される。
【００３３】
これによりたて糸１は、表たて糸１ａは上動位置と中間位置との間で開口し、裏たて糸１ｂは中間位置と下動位置との間で開口せしめられることとなり、全体として上下二段に開口せしめられる。この状態で表シャトル１２ａを上段の開口に打ち込むことにより、表よこ糸１１ａはすべての裏たて糸１ｂの上で表たて糸１ａの間に打ち込まれることとなり、表組織３の一部が織成される。
【００３４】
次に綜絖５ａ、５ｂを上下に入れ替えて、図６（ａ）において下動していた綜絖５ｂを図６（ｂ）に示すように上動せしめると、当該綜絖５ｂのヘルド１４の上半部の長孔１６に挿通された表たて糸１ａは、長孔１６の中間位置から上動せしめられ、下半部の長孔１６に挿通されていた裏たて糸１ｂは、下動位置から下半部の長孔１６の中間位置に保持されることとなる。
【００３５】
また先に上動していた綜絖５ａを図６（ｂ）のように下動せしめると、その綜絖５ａに設けられたヘルド１４の下半部の長孔１６に挿通された裏たて糸１ｂは、長孔１６の中間位置から下動せしめられ、同じ綜絖５ａに設けられたヘルド１４における上半部の長孔１６に挿通された表たて糸１ａは、上半部の長孔１６に上動せしめられていたのが、長孔１６の中間位置に保持される。
【００３６】
これによりたて糸１は、表たて糸１ａは上動位置と中間位置との間で開口が入れ替わり、裏たて糸１ｂは中間位置と下動位置との間で開口が入れ替わることとなり、全体として上下二段に開口せしめられつつ、表たて糸１ａ及び裏たて糸１ｂがそれぞれ開口位置が入れ替わることとなる。
【００３７】
この状態で再度表シャトル１２ａを上段の開口に打ち込むことにより、表よこ糸１１ａはすべての裏たて糸１ｂの上で、図６（ａ）とは入れ替わった開口状態の表たて糸１ａの間に打ち込まれることとなり、表組織３が織成される。
【００３８】
次に図６（ｃ）において、再度綜絖５ａ、５ｂを上下に入れ替えて綜絖５ａ、５ｂを図６（ａ）と同じ状態とし、前述のように上下二段に開口せしめる。この状態で裏シャトル１２ｂを下段の開口に打ち込むことにより、裏よこ糸１１ｂはすべての表たて糸１ａの下で、上下に開いた裏たて糸１ｂの間に打ち込まれることとなり、裏組織４の一部が織成される。
【００３９】
さらに図６（ｄ）において再度綜絖５ａ、５ｂの上下を入れ替えることにより、再度図６（ｂ）と同じ状態とする。この状態で上下二段の開口の下段の開口に裏シャトル１２ｂを打ち込むことにより、裏よこ糸１１ｂは下段の開口で開いた裏たて糸１ｂの間に打ち込まれ、裏組織４が織成される。
【００４０】
以下図６（ａ）〜図６（ｂ）の工程を繰り返すことにより、二枚の綜絖５ａ、５ｂを交互に上下動せしめ、形成される上下二段の開口に表よこ糸１１ａと裏よこ糸１１ｂとを打ち込むことにより、表組織３と裏組織４とを交互に織成し、二重織物Ａを織成することができる。
【００４１】
なおたて糸１の上下の開口に選択的に表よこ糸１１ａ又は裏よこ糸１１ｂを打ち込むには、先に図４において説明したように、その挿入方向の先端１３が中心より高い位置又は低い位置で突出したシャトル１２ａ、１２ｂを使用するのが良い。
【００４２】
すなわち、表シャトル１２ａは先端１３が高い位置で突出しているので、中立位置のたて糸１ａ、１ｂを押し下げながら上部開口を通過して表よこ糸１１ａを打ち込んで表組織３を織成し、裏シャトル１２ｂは先端１３が低い位置で突出しているので、中立位置のたて糸１ａ、１ｂを押し上げながら下部開口を通過して裏よこ糸１１ｂを打ち込むことにより裏組織４を織成し、上下の開口を選択してよこ糸１１ａ、１１ｂを挿入し、二重織物Ａを織成することができる。
【００４３】
次に図７は本発明のヘルド１４を使用して、接結二重織物Ａを織成する工程を示す。すなわち綜絖５ａ、５ｂに取り付けられたヘルド１４のうちの一部のもの１４´に、前記長孔１６には上下のたて糸１ａ、１ｂを挿通せず、中央のメール１７に接結たて糸１８を挿通している。
【００４４】
この例においては、長孔１６にたて糸１を挿通したヘルド１４においては、先に図６において説明したのと同様にたて糸１を操作して上下二段の開口を形成し、シャトル１２ａ、１２ｂをその開口に選択的に打ち込むことにより、表組織３及び裏組織４を織成し、二重織物Ａを織成する。
【００４５】
しかしながらヘルド１４´に挿通された接結たて糸１８は、ヘルド１４´の中央のメールに挿通されているため、そのヘルド１４´を取り付けた綜絖５が上動したときには接結たて糸１８は上動位置を採り、綜絖５が下動したときには下動位置を採って、中間位置に保持されることはない。
【００４６】
従って接結たて糸１８が上動位置を採るときには、表よこ糸１１ａも裏よこ糸１１ｂもすべて接結たて糸１８の下を通り、接結たて糸１８が下動位置を採るときには表よこ糸１１ａも裏よこ糸１１ｂもすべて接結たて糸１８の上を通ることとなり、接結たて糸１８は表よこ糸１１ａの上と裏よこ糸１１ｂの下とを交互に縫うように通り、表組織３と裏組織４とを接結するのである。
【００４７】
図３に示す従来の方法により接結二重織物を織成するためには、地組織を織成するための四枚の綜絖５の外に、接結たて糸を操作するための一枚乃至二枚の綜絖を必要とし、織機の構造が複雑なものとなる。
【００４８】
また図４に示す方法で織成する場合には綜絖５は二枚でよいが、各綜絖５に表ヘルド１０ａと裏ヘルド１０ｂ以外に接結たて糸を操作するためのメールのみを設けたヘルドが必要であり、前準備がさらに面倒である。
【００４９】
これに対し本発明のヘルド１４を使用すれば、上半部の長孔１６にたて糸を挿通すればそのたて糸は表たて糸１ａとなり、下半部の長孔１６にたて糸を挿通すればそのたて糸は裏たて糸１ｂになり、さらに中央のメール１７に挿通すれば接結たて糸１８になるのであって、織物の設計が極めて容易である。
【００５０】
次に図８は、本発明のヘルド１４を使用した織成方法の他の例を示すものである。すなわちヘルド１４の上半部の長孔１６に表たて糸１ａを、下半部の長孔１６に裏たて糸１ｂを、それぞれ同時に挿通しており、表たて糸１ａと表よこ糸１１ａとで表組織３を、裏たて糸１ｂと裏よこ糸１１ｂとで裏組織４を織成している。またヘルド１４´のメール１７には接結たて糸１８も挿通されている。
【００５１】
この例においては、一本のヘルド１４によって表たて糸１ａ及び裏たて糸１ｂを同時に操作し、さらに接結たて糸１８も同時の操作することができるので、綜絖５の数を減少せしめるだけでなく各綜絖５におけるヘルド１４の数をも節約することができ、織機の構造が極めて簡単になる。
【産業上の利用可能性】
【００５２】
以上の説明においては、本発明のヘルド１４及び本発明の方法を通常の力織機について適用するものとして述べているが、かかる力織機に限らず、環状織機についても全く同様に適用することができる。
【符号の説明】
【００５３】
１  たて糸
３  表組織
４  裏組織
５  綜絖
１１  よこ糸
１２  シャトル
１３  先端
１４  ヘルド
１６  長孔
１７  メール
１８  接結たて糸
【図１】
0005645483.tif 000002
【図２】
0005645483.tif 000003
【図３】
0005645483.tif 000004
【図４】
0005645483.tif 000005
【図５】
0005645483.tif 000006
【図６】
0005645483.tif 000007
【図７】
0005645483.tif 000008
【図８】
0005645483.tif 000009